(57)【要約】【課題】制御機などの設備を二重化させたり、制御機以外の既存設備を改変したりすることなく、障害の発生時やメンテナンス時などでもナースコールの機能が停止しないようにする。【解決手段】ナースコール子機５からの呼び出しをナースコール親機１に伝送するための通信を制御する主制御回路部２１と、ナースコール子機５からの呼び出しを廊下灯３に伝送するための通信を制御する副制御回路部２２と、主制御回路部２１が動作不能状態であることを検知した場合に、主制御回路部２１から副制御回路部２２に切り替えて動作させる切替制御部２３とを制御機２が備え、制御機２の内部回路を主制御回路部２１と副制御回路部２２とにより冗長化させることによって、ナースコールシステムの構成自体は既存のシステムと変えずに、障害の発生時やメンテナンス時などでもナースコールの機能が停止しないようにする。【選択図】図２
2018067823.tif 000002
【特許請求の範囲】
【請求項１】
ナースコール親機、制御機、廊下灯、壁埋込形子機およびナースコール子機を備えたナースコールシステムにおいて、
上記制御機は、
上記ナースコール子機からの呼び出しを上記ナースコール親機に伝送するための通信を制御する主制御回路部と、
上記ナースコール子機からの呼び出しを上記廊下灯に伝送するための通信を制御する副制御回路部と、
上記主制御回路部の動作状態を監視し、上記主制御回路部が動作不能状態であることを検知した場合に、上記主制御回路部から上記副制御回路部に切り替えて動作させるように制御する切替制御部とを備えたことを特徴とするナースコールシステム。
【請求項２】
上記副制御回路部は、上記ナースコール子機からの呼び出しを受けた場合、上記廊下灯から呼出音を出力させるように制御することを特徴とする請求項１に記載のナースコールシステム。
【請求項３】
上記副制御回路部は、上記制御機に対して縦続接続された同一幹線上の複数の廊下灯のうち、上記呼び出しが行われたナースコール子機に対応する廊下灯を特定するための同期信号と共に、上記呼出音の音声信号を送信することを特徴とする請求項２に記載のナースコールシステム。
【請求項４】
上記切替制御部は、上記主制御回路部の動作状態を監視し、当該主制御回路部の動作状態を通じて上記ナースコール親機が動作不能状態であることを検知した場合に、上記主制御回路部から上記副制御回路部に切り替えて動作させるように制御することを特徴とする請求項１に記載のナースコールシステム。
【請求項５】
ナースコール親機、廊下灯、壁埋込形子機およびナースコール子機と共にナースコールシステムに用いられる制御機であって、
上記ナースコール子機からの呼び出しを上記ナースコール親機に伝送するための通信を制御する主制御回路部と、
上記ナースコール子機からの呼び出しを上記廊下灯に伝送するための通信を制御する副制御回路部と、
上記主制御回路部の動作状態を監視し、上記主制御回路部が動作不能状態であることを検知した場合に、上記主制御回路部から上記副制御回路部に切り替えて動作させるように制御する切替制御部とを備えたことを特徴とする制御機。
【発明の詳細な説明】
【技術分野】
【０００１】
本発明は、ナースコールシステムおよび制御機に関し、特に、冗長化構成の採用によって、障害の発生時やメンテナンス時などでもナースコールの機能が停止しないようになされたナースコールシステムに用いて好適なものである。
【背景技術】
【０００２】
一般に、病院や介護施設などでは、ナースコールシステムが用いられている。ナースコールシステムは、病院の患者が医師や看護師のサポートを必要とする際、または介護施設の被介護者が介護師のサポートを必要とする際に、患者や被介護者（以下、単に「患者」と言う）が呼出ボタン等を押下することによって医師や看護師、介護師（以下、単に「看護師」と言う）を呼び出すことができるように成されたシステムである。
【０００３】
この種のナースコールシステムは、高い信頼性が要求され、障害の発生や設備のメンテナンスなどによって、ナースコールの機能が長時間にわたって停止することは許されない。そのため、設備を二重化（冗長化）させることによって、主装置が動作不能となったときに副装置に切り替えてナースコールを継続可能にしたナースコールシステムが考案されている（例えば、特許文献１，２参照）。
【０００４】
特許文献１に記載のナースコールシステムでは、制御装置および廊下灯制御装置を複数備えることによって、制御装置、廊下灯制御装置が動作不可能となっても、システムとして機能することができるようにしている。具体的には、特許文献１に記載のナースコールシステムは、病室内の複数のナースコール子機と、ナースコール親機と、複数の廊下灯と、ナースコール動作を制御する主制御装置および主廊下灯制御装置と、主制御装置による動作が不能となったときに動作する副制御装置および副廊下灯制御装置とにより構成されている。
【０００５】
特許文献２に記載のナースコールシステムでは、ナースコール制御機が正常に動作しているときは、ナースコール子機との通信をナースコール制御機が受け持つ。一方、ナースコール制御機が故障した場合には、ナースコール処理装置をナースコール制御機の代行として使用し、ナースコール処理装置がナースコール子機との通信を受け持つようにする。
【先行技術文献】
【特許文献】
【０００６】
【特許文献１】特開２０１０−２０００６６号公報
【特許文献２】特開２００６−１８０９９１号公報
【発明の概要】
【発明が解決しようとする課題】
【０００７】
しかしながら、上記特許文献１に記載のナースコールシステムでは、制御装置および廊下灯制御装置をそれぞれ二重化させ、ナースコール親機から廊下灯までの通信線も二重化させる必要がある。そのため、設備が複雑になり、設置コストも高くなるという問題があった。
【０００８】
これに対し、特許文献２に記載のナースコールシステムでは、病棟の患者情報の管理やベッド管理、病棟日誌などの管理帳票の印刷など、病棟管理のために用いられるナースコール処理装置を利用して、冗長化を実現している。このため、容易で安価にナースコールシステムの信頼性を向上させることが可能である。
【０００９】
しかしながら、ナースコール処理装置を採用していない病院には、特許文献２に記載の冗長化は適用することができない。また、ナースコール処理装置に対して、ナースコール制御機とナースコール子機との間の通信方式と同一の通信手段を設けることによってナースコール機能を持たせる必要があり、通常のナースコール処理装置のままでは適用することができないという問題があった。
【００１０】
本発明は、このような問題を解決するために成されたものであり、制御機などの設備を二重化させたり、制御機以外の既存設備を改変したりすることなく、障害の発生時やメンテナンス時などでもナースコールの機能が停止しないようにすることを目的とする。
【課題を解決するための手段】
【００１１】
上記した課題を解決するために、本発明では、ナースコール子機からの呼び出しをナースコール親機に伝送するための通信を制御する主制御回路部と、ナースコール子機からの呼び出しを廊下灯に伝送するための通信を制御する副制御回路部とを制御機に設け、主制御回路部が動作不能状態であることを検知した場合に、主制御回路部から副制御回路部に切り替えて動作させるようにしている。
【発明の効果】
【００１２】
上記のように構成した本発明によれば、ナースコール親機、制御機、廊下灯、壁埋込形子機およびナースコール子機を備えたナースコールシステムの構成自体は既存のシステムと変わらず、制御機の内部回路が、主制御回路部と副制御回路部とにより冗長化されているので、制御機などの設備を二重化させたり、制御機以外の既存設備を改変したりすることなく、障害の発生時やメンテナンス時などでもナースコールの機能が停止しないようにすることができる。
【図面の簡単な説明】
【００１３】
【図１】本実施形態によるナースコールシステムの全体構成例を示す図である。
【図２】本実施形態による制御機の回路構成例を示す図である。
【図３】本実施形態の副制御回路部が廊下灯に送信する呼出信号の１フレームのフォーマットを示す図である。
【発明を実施するための形態】
【００１４】
以下、本発明の一実施形態を図面に基づいて説明する。図１は、本実施形態によるナースコールシステムの全体構成例を示す図である。なお、ここでは病院に設置されるナースコールシステムを例にとって説明するが、本実施形態のナースコールシステムは、病院に設置されるものに限定されない。例えば、介護施設等に設置される場合にも適用可能である。
【００１５】
図１に示すように、本実施形態のナースコールシステムは、ナースコール親機１、制御機２、廊下灯３、壁埋込形子機４およびナースコール子機５を備えて構成されている。制御機２から配線される同一幹線上に、複数の廊下灯３が縦続接続され、各々の廊下灯３に対して壁埋込形子機４が接続されている。
【００１６】
ナースコール親機１は、患者（ナースコール子機５）からの呼び出しを看護師に報知し、看護師がその呼び出しに対する応答の操作を行うためのものであり、例えばナースセンタに設置される。すなわち、ナースコール親機１は、ナースコール子機５から送られてくる呼出信号を受信すると、所定の呼出動作を実行する。呼出動作は、呼び出しを行った患者の患者情報をディスプレイに表示するとともに、呼出音をスピーカから出力することによって行う。
【００１７】
制御機２は、ナースコール親機１と廊下灯３との間に配置され、通話やデータの送受信に関する制御を行う。図２を用いて詳細を後述するように、本実施形態の制御機２は、その内部に冗長化の回路構成を有している。すなわち、制御機２は、冗長化の回路構成として、図２に示す主制御回路部２１および副制御回路部２２を備えている。
【００１８】
主制御回路部２１の正常動作時、制御機２は、ナースコール子機５から送られてくる呼出信号をナースコール親機１に転送することにより、ナースコール親機１に呼出動作を実行させる。一方、主制御回路部２１の異常発生時またはメンテナンス時、制御機２は、ナースコール子機５から送られてくる呼出信号を受けると、呼出音の音声信号を含んだ呼出信号を廊下灯３に送信することにより、廊下灯３に呼出動作を実行させる。
【００１９】
廊下灯３は、病院の各病室の入口付近外部に設置される。この廊下灯３は、液晶表示装置３ａ、ＬＥＤ等の呼出灯３ｂおよびスピーカ３ｃを備えている。液晶表示装置３ａには、病室内の患者名などの患者情報が表示される。なお、液晶表示装置３ａは、患者（ナースコール子機５）からの呼び出しが行われていないときは非表示状態あるいは待機画面の表示状態であり、患者からの呼び出しが行われると、その患者の患者情報が表示されるようになっている。
【００２０】
また、病室内の患者がナースコール子機５を用いて呼び出しを行うと、呼び出しが行われたことが呼出灯３ｂの点灯または点滅（以下、単に点灯という）によって報知されるようになっている。なお、制御機２の主制御回路部２１の正常動作時は、ナースコール親機１において正常に呼出動作が行われているため、廊下灯３のスピーカ３ｃから呼出音の出力は行われない。
【００２１】
一方、主制御回路部２１の異常発生時またはメンテナンス時は、病室内の患者がナースコール子機５を用いて呼び出しを行うと、呼び出しが行われたことが呼出灯３ｂの点灯およびスピーカ３ｃからの呼出音の出力によって報知されるようになっている。ここで、呼出灯３ｂの点灯は、主制御回路部２１の正常動作時と同様、ナースコール子機５から送られてくる呼出信号を廊下灯３が受信したことに応じて実行される。呼出音の出力は、制御機２から送られてくる呼出信号（呼出音の音声信号をむ）に基づいて実行される。このとき、制御機２の内部では、副制御回路部２２が動作している。
【００２２】
壁埋込形子機４は、病室の各ベッドサイドの壁に埋め込み設置される。この壁埋込形子機４は、ナースコール子機５の接続端子を有している。ナースコール子機５は、壁埋込形子機４の接続端子に接続される。ナースコール子機５は、患者が看護師を呼び出すための呼出ボタン、患者が看護師と会話を行う際に使用するマイクおよびスピーカを備えている。
【００２３】
図２は、本実施形態による制御機２の回路構成例を示す図である。なお、図２では、本発明に係る回路構成のみを図示しており、本発明に係らない部分の回路構成は図示を省略している。図２に示すように、制御機２は、主制御回路部２１と、副制御回路部２２と、切替制御部２３とを備えている。
【００２４】
主制御回路部２１は、ナースコール子機５からの呼び出しをナースコール親機１に伝送するための通信を制御する。すなわち、主制御回路部２１は、ナースコール子機５から壁埋込形子機４および廊下灯３を介して送られてくる呼出信号をナースコール親機１に転送する。これにより、ナースコール親機１において、患者情報の表示および呼出音の出力による呼出動作が実行される。
【００２５】
副制御回路部２２は、ナースコール子機５からの呼び出しを廊下灯３に伝送するための通信を制御する。具体的には、副制御回路部２２は、ナースコール子機５から送られてくる呼出信号を受けると、呼出音の音声信号を含んだ呼出信号を廊下灯３に対して送信する。これにより、廊下灯３において、呼出音の出力による呼出動作が実行される。
【００２６】
切替制御部２３は、主制御回路部２１の動作状態を監視し、主制御回路部２１が動作不能状態であることを検知した場合に、主制御回路部２１から副制御回路部２２に切り替えて動作させるように制御する。主制御回路部２１が動作不能状態である場合とは、主制御回路部２１に異常が発生している場合、または、メンテナンスのために主制御回路部２１が制御機２から取り外されている場合などである。
【００２７】
図３は、副制御回路部２２が廊下灯３に送信する呼出信号の１フレームのフォーマットを示す図である。図３に示すように、副制御回路部２２が廊下灯３に出力する呼出信号は、ＣＨ０の同期信号、ＣＨ１のデータ、ＣＨ２のトーン信号、およびＣＨ３〜ＣＨ７の音声信号を含んでいる。廊下灯３に呼出動作をさせるための指令情報は、ＣＨ１に含まれている。また、廊下灯３のスピーカ３ｃから出力させる呼出音の音声信号は、ＣＨ３〜ＣＨ７に含まれている。なお、ＣＨ２のトーン信号を呼出音として用いるようにしてもよい。
【００２８】
ＣＨ０の同期信号は、制御機２に対して縦続接続された同一幹線上の複数の廊下灯３，３，・・・のうち、呼び出しが行われたナースコール子機５に対応する廊下灯３を特定するための信号であり、例えば、０〜２５５のカウンタ値により構成されている。この同期信号によって、同一幹線上に接続された複数の廊下灯３，３，・・・のうちどれが呼出信号を受信するかを決めている。また、廊下灯３は、この同期信号のカウント値をもとに、廊下灯３内での動作タイミングを決めたり、ナースコール子機５との通信を行ったりしている。このため、制御機２から廊下灯３に対して呼出信号を送信するときは、この同期信号を含ませることが必要である。
【００２９】
以上詳しく説明したように、本実施形態では、ナースコール子機５からの呼び出しをナースコール親機１に伝送するための通信を制御する主制御回路部２１と、ナースコール子機５からの呼び出しを廊下灯３に伝送するための通信を制御する副制御回路部２２とを制御機２に設け、主制御回路部２１が動作不能状態であることを切替制御部２３にて検知した場合に、主制御回路部２１から副制御回路部２２に切り替えて動作させるようにしている。
【００３０】
このように構成した本実施形態によれば、ナースコール親機１、制御機２、廊下灯３、壁埋込形子機４およびナースコール子機５を備えたナースコールシステムの構成自体は既存のシステムと変わらず、制御機２の内部回路が、主制御回路部２１と副制御回路部２２とにより冗長化されているので、制御機２などの設備自体を二重化させたり、制御機２以外の既存設備（特許文献２に記載されたナースコール処理装置など）を改変したりすることなく、障害の発生時やメンテナンス時などでもナースコールの機能が停止しないようにすることができる。
【００３１】
なお、上記実施形態では、制御機２内の主制御回路部２１における障害の発生時やメンテナンス時に対する冗長化構成の例を示したが、本発明はこれに限定されない。例えば、ナースコール親機１の異常発生またはメンテナンスによる動作不能状態を制御機２にて監視し、ナースコール親機１の制動動作時は主制御回路部２１を動作させる一方、ナースコール親機１の動作不能時は副制御回路部２２を動作させるようにしてもよい。
【００３２】
すなわち、ナースコール親機１が動作不能状態になると、主制御回路部２１がナースコール親機１と通信を行うことができない動作不能状態となる。よって、切替制御部２３が主制御回路部２１の動作状態を監視することによって、ナースコール親機１の動作不能状態を検知することが可能である。そして、切替制御部２３が、ナースコール親機１（ひいては主制御回路部２１）が動作不能状態であることを検知した場合に、主制御回路部２１から副制御回路部２２に切り替えて動作させるように制御する。
【００３３】
また、上記実施形態では、ナースコール子機５から廊下灯３に送られてくる呼出信号に応じて呼出灯３ｂの点灯を行い、制御機２から廊下灯３に送られてくる呼出信号に応じてスピーカ３ｃからの呼出音の出力を行う例について説明したが、本発明はこれに限定されない。例えば、呼出灯３ｂの点灯に関しても、制御機２から廊下灯３に送られてくる呼出信号に応じて実行するようにしてもよい。
【００３４】
また、上記実施形態では、図３に示すフォーマットにて制御機２から廊下灯３に対して呼出信号を送信する例について説明したが、本発明はこれに限定されない。すなわち、同期信号と共に呼出音の音声信号を送信するようにすればよく、通信データのフォーマットは図３の例に限定されない。また、廊下灯３に呼出音の音声データをあらかじめ記憶しておくことにより、呼出音の音声信号は送信しないようにしてもよい。
【００３５】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００３６】
１  ナースコール親機
２  制御機
３  廊下灯
３ａ  ディスプレイ
３ｂ  呼出灯
３ｃ  スピーカ
４  壁埋込形子機
５  ナースコール子機
２１  主制御回路部
２２  副制御回路部
２３  切替制御部
【図１】
2018067823.tif 000003
【図２】
2018067823.tif 000004
【図３】
2018067823.tif 000005